【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】
上水道配水管に接続された地下式消火栓から不断水で配水管内の流量を測定する流量測定器であって、
前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、
消火栓から配水管内に水密状態に差し込まれる挿入棒と、
下端部が消火栓の口金に装着可能とされ、上端部がパッキンを介して水密状態で挿入棒を上方へ導出可能とされ、挿入棒を消火栓に対して位置決めする保持手段と、
挿入棒の先端部に設置された流量センサーとを備え、
前記保持手段は、
下端部を消火栓のフランジに引っ掛けられる下枠と、
その下枠とターンバックルを介して上下動可能に連結される上枠と、
この上枠に保持され下端部が消火栓の口金に装着可能とされ、上端部がパッキンを介して水密状態で挿入棒を上方へ導出可能とする案内部と、
前記上枠に保持され、挿入棒の上端部にスプリングを介して設置される圧力ジャッキと
を備えたことを特徴とする流量測定器。
【請求項２】
前記流量センサーからのデータは、消火栓マンホール内の上部に設置された流量計コントロールユニットにて収集記録される
ことを特徴とする請求項１に記載の流量測定器。
【請求項３】
上水道配水管に接続された地下式消火栓から不断水で配水管内の流量を測定する流量測定器であって、
前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、
消火栓から配水管内に水密状態に差し込まれる挿入棒と、
下端部が消火栓の口金に装着可能とされ、上端部がパッキンを介して水密状態で挿入棒を上方へ導出可能とされ、挿入棒を消火栓に対して位置決めする保持手段と、
挿入棒の先端部に設置された流量センサーとを備え、
前記流量センサーからのデータは、消火栓マンホール内の上部に設置された流量計コントロールユニットにて収集記録される
ことを特徴とする流量測定器。
【請求項４】
配水管に接続された消火栓から不断水で配水管内の状況を観察する際に利用される内視鏡挿入器であって、
下端部を消火栓の口金に装着されて設置される外筒と、
この外筒内に差し込まれる送り棒と、
送り棒の先端に取り付けられ、送り棒の押し込みにより内視鏡を共に移動可能とされ、ガイド板にて内視鏡の進行方向を誘導するカメラガイドと、
外筒の上端部に設けられ、前記内視鏡のケーブル及び送り棒を水密状態で導出するパッキンと
を備えたことを特徴とする内視鏡挿入器。
【請求項５】
前記カメラガイドの下端部には、上下動可能にガイド棒が設けられ、
カメラガイドの側壁には、略くの字形のガイド板の一端部が保持され、
前記ガイド棒が上方に押し込まれることでガイド板は、前記保持された一端部を中心に回転してその他端部を略水平方向に向けられる
ことを特徴とする請求項４に記載の内視鏡挿入器。
【請求項６】
消火栓の湾曲した管路に沿って前記カメラガイドを押出し可能に、前記送り棒若しくはその一部が変形可能とされている
ことを特徴とする請求項５に記載の内視鏡挿入器。
【請求項７】
前記送り棒若しくはその一部は、複数本のパイプが上下方向に連接されてなり、
隣接するパイプ同士は、上側のパイプの下端部と、下側のパイプの上端部とが、直径方向に差し込まれるピン部材により揺動可能に連結されており、
各ピン部材は、送り棒の軸方向に沿って配置されている
ことを特徴とする請求項６に記載の内視鏡挿入器。
【請求項８】
前記送り棒若しくはその一部は、複数本のパイプが上下方向に連接されてなり、
隣接するパイプ同士は、上側のパイプの下端部と、下側のパイプの上端部とが、周側壁の直径方向に対向した二ヶ所においてそれぞれピン部材により揺動可能に連結されており、
前記ピン部材は、上下方向に連接されるパイプの軸方向に沿って配置され、
パイプ内部には、内視鏡のケーブルが通される
ことを特徴とする請求項６に記載の内視鏡挿入器。
【請求項９】
前記消火栓は、上水道配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれる地下式ボール式消火栓とされている
ことを特徴とする請求項４又は請求項５に記載の内視鏡挿入器。
【請求項１０】
前記パッキンは、前記送り棒ないし前記内視鏡のケーブルを側面から挟み込むように設置される割シールとされており、
送り棒と内視鏡のケーブルを進退可能で且つ、水密状態に保持する
ことを特徴とする請求項４から請求項９までのいずれかに記載の内視鏡挿入器。
【請求項１１】
前記送り棒とカメラガイドとの間、又は前記送り棒とそれを操作するハンドルとの間、及び前記内視鏡とそのケーブルとの間が着脱可能に構成されている
ことを特徴とする請求項４から請求項１０までのいずれかに記載の内視鏡挿入器。
【請求項１２】
前記パッキンが収納されるパッキンボックスが、前記外筒の上端部又は消火栓の口金に着脱可能に設置される
ことを特徴とする請求項１１に記載の内視鏡挿入器。
【請求項１３】
前記外筒は、水質監視計へ送水するための採水口を備えた
ことを特徴とする請求項４から請求項１２までのいずれかに記載の内視鏡挿入器。
【請求項１４】
前記外筒は、送り棒上端部に設置されたハンドルと締結可能な取っ手を備えた
ことを特徴とする請求項４から請求項１３までのいずれかに記載の内視鏡挿入器。
【請求項１５】
前記外筒は、圧力計を設置可能とされた
ことを特徴とする請求項４から請求項１４までのいずれかに記載の内視鏡挿入器。
【請求項１６】
前記内視鏡のケーブルは、オゾン滅菌装置を介して外筒へ挿入される
ことを特徴とする請求項４から請求項１５までのいずれかに記載の内視鏡挿入器。
【請求項１７】
前記送り棒の上端部に設置されるハンドルの回転により、内視鏡の進行方向が変更可能である
ことを特徴とする請求項４から請求項１６までのいずれかに記載の内視鏡挿入器。
【請求項１８】
前記ガイド板の先端部の方向を示す印を前記ハンドルに付すことで内視鏡の進行方向が確認可能とされた
ことを特徴とする請求項１７に記載の内視鏡挿入器。
【請求項１９】
請求項４から請求項１８までのいずれかに記載の内視鏡を制御ないし内視鏡から送られてくる映像を記録する機器、もしくは請求項１３から請求項１８までのいずれかに記載の水質監視計が搭載され、
その水質監視計は前後、左右に略水平に保持可能な台上に設置されている
ことを特徴とする車両。
【請求項２０】
消火栓の口金に取り付けられる緊急消火活動用消火栓ソケットであって、
その消火栓ソケットの出口側は二叉になっており、
一方の分岐管には請求項１から請求項３までのいずれかに記載の流量測定器もしくは、請求項４から請求項１８までのいずれかに記載の内視鏡挿入器が取り付け可能とされており、
他方の分岐管には消火ホースが装着可能で、且つこの他方の分岐管は弁により開閉可能とされている
ことを特徴とする消火栓ソケット。
【請求項２１】
配水管に接続された消火栓から不断水で配水管内の状況を観察する際に、消火栓に着脱可能に取り付けられ、配水管に入れられる内視鏡のケーブルを水密状態で且つ進退可能に外部へ導出するパッキンが収納された
ことを特徴とするパッキンボックス。
【手続補正２】
【補正対象書類名】明細書
【補正対象項目名】０００５
【補正方法】変更
【補正の内容】
【０００５】
【課題を解決するための手段】
上記課題を解決するために、本発明は、上水道配水管に接続された地下式消火栓から不断水で配水管内の流量を測定する流量測定器であって、前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、消火栓から配水管内に水密状態に差し込まれる挿入棒と、下端部が消火栓の口金に装着可能とされ、上端部がパッキンを介して水密状態で挿入棒を上方へ導出可能とされ、挿入棒を消火栓に対して位置決めする保持手段と、挿入棒の先端部に設置された流量センサーとを備え、前記保持手段は、下端部を消火栓のフランジに引っ掛けられる下枠と、その下枠とターンバックルを介して上下動可能に連結される上枠と、この上枠に保持され下端部が消火栓の口金に装着可能とされ、上端部がパッキンを介して水密状態で挿入棒を上方へ導出可能とする案内部と、前記上枠に保持され、挿入棒の上端部にスプリングを介して設置される圧力ジャッキとを備えたことを特徴とする流量測定器である。
【手続補正３】
【補正対象書類名】明細書
【補正対象項目名】０００６
【補正方法】変更
【補正の内容】
【０００６】
また、好ましくは上記構成に加えて、前記流量センサーからのデータは、消火栓マンホール内の上部に設置された流量計コントロールユニットにて収集記録されることを特徴とする流量測定器である。
【手続補正４】
【補正対象書類名】明細書
【補正対象項目名】０００７
【補正方法】変更
【補正の内容】
【０００７】
上記課題を解決するために、本発明は、上水道配水管に接続された地下式消火栓から不断水で配水管内の流量を測定する流量測定器であって、前記地下式消火栓は、配水管に設置されて上下方向に管路が設けられた本体部を備え、この本体部の上部には、消火ホースと接続される口金が設けられる一方、本体部の中途には、直径方向に貫通穴が形成された球状のボールが回転可能に配置されており、ボールの貫通穴を配水管から前記口金に延びる前記管路と同軸に向けることで弁が開かれるボール式消火栓とされており、消火栓から配水管内に水密状態に差し込まれる挿入棒と、下端部が消火栓の口金に装着可能とされ、上端部がパッキンを介して水密状態で挿入棒を上方へ導出可能とされ、挿入棒を消火栓に対して位置決めする保持手段と、挿入棒の先端部に設置された流量センサーとを備え、前記流量センサーからのデータは、消火栓マンホール内の上部に設置された流量計コントロールユニットにて収集記録されることを特徴とする流量測定器である。
【手続補正５】
【補正対象書類名】明細書
【補正対象項目名】０００８
【補正方法】変更
【補正の内容】
【０００８】
上記課題を解決するために、本発明は、配水管に接続された消火栓から不断水で配水管内の状況を観察する際に利用される内視鏡挿入器であって、下端部を消火栓の口金に装着されて設置される外筒と、この外筒内に差し込まれる送り棒と、送り棒の先端に取り付けられ、送り棒の押し込みにより内視鏡を共に移動可能とされ、ガイド板にて内視鏡の進行方向を誘導するカメラガイドと、外筒の上端部に設けられ、前記内視鏡のケーブル及び送り棒を水密状態で導出するパッキンとを備えたことを特徴とする内視鏡挿入器である。
【手続補正６】
【補正対象書類名】明細書
【補正対象項目名】０００９
【補正方法】変更
【補正の内容】
【０００９】
また、好ましくは上記構成に加えて、前記カメラガイドの下端部には、上下動可能にガイド棒が設けられ、カメラガイドの側壁には、略くの字形のガイド板の一端部が保持され、前記ガイド棒が上方に押し込まれることでガイド板は、前記保持された一端部を中心に回転してその他端部を略水平方向に向けられることを特徴とする内視鏡挿入器である。